(57)【要約】【課題】投薬の作業が簡易で、投薬量等をその場で調整できる投薬補助容器を提供すること。【解決手段】投薬補助容器１１０の吐出用ノズル３０を取り外す。そして、シール２９を剥がすことで、容器部材１２０の開口２３下にゼリーＦＬを露出させるとともに、円筒口部２７を上側に引っ張って、可動部２５を第１状態から第２状態に変形させる。この状態で、開口２３を介して、円筒口部２７下部に露出したゼリーＦＬ上に必要量の薬剤ＭＤを投入する。次に、吐出用ノズル３０を容器部材１２０に固定する。その後、投薬補助容器１１０を保持して吐出用ノズル３０を治療中の動物の口腔に差し込む。そして、蛇腹状の本体部材１２１の底部に設けた凹部２６を親指で押し、本体部材１２１を圧縮変形させることによって、治療中の動物の口腔にゼリーＦＬとともに薬剤ＭＤを流し込んで、動物にこれらの混合物を嚥下させることができる。【選択図】図１
2008295839.tif 000002
【特許請求の範囲】
【請求項１】
食物の流動体を収容するとともに、内容量を増加させた充填状態から内容量を減少させた吐出状態に変形させることができる本体部材と、前記本体部材に連結されるとともに、前記本体部材を合わせた全体容量を比較的少なくする第１状態に保持可能であり、かつ、前記全体容量を比較的多くする第２状態に安定して保持可能であり、少なくとも１回の動作によって前記第１及び第２容量状態間の切り替えを可能にする可動部とを有する容器部材と、
前記容器部材の開口部に着脱可能に接続可能であり、前記容器部材から分離した際に前記開口部を露出させることにより前記開口部を介して前記容器部材内への薬剤の投入を許容する蓋状部材と、を備える投薬補助容器。
【請求項２】
前記蓋状部材は、前記容器部材中の流動体を吐出させるノズルキャップである、請求項１記載の投薬補助容器。
【請求項３】
前記ノズルキャップは、前記容器部材の前記開口部に螺合によって固定されるスクリュキャップ状の根元部と、前記根元部内に連通し前記容器部材内の前記流動体を前記開口部から投入された薬剤とともに吐出させるテーパ状の先端部とを備える、請求項２記載の投薬補助容器。
【請求項４】
前記本体部材は、自己の形状維持機能によって前記充填状態と前記吐出状態との双方に安定して保持可能である、請求項１から請求項３のいずれか一項記載の投薬補助容器。
【請求項５】
前記可動部は、前記開口部と前記本体部材との間に配置され、前記本体部材は、前記可動部に接続される第１部材と、前記第１部材に連結されるとともに外力に応じて変形可能であり、前記充填状態において前記第１部材から全体的に離間し、前記吐出状態において前記第１部材側に折り返されて裏返る第２部材とを有する、請求項４記載の投薬補助容器。
【請求項６】
前記本体部材は、外力に応じて伸縮するベローズ状の構造を有する、請求項１から請求項４のいずれか一項記載の投薬補助容器。
【請求項７】
前記可動部は、外側又は内側の一方で互いに連結され他方で近接可能に分離する一対の環状部材を含むベローズ状の伸縮部材である、請求項１から請求項６のいずれか一項記載の投薬補助容器。
【請求項８】
前記容器部材の開口部に固定されて前記容器部材内を気密に封止するシール部材をさらに備える請求項１から請求項７のいずれか一項記載の投薬補助容器。
【発明の詳細な説明】
【技術分野】
【０００１】
本発明は、ペット等の動物に対してゼリー等に薬剤を混ぜた混合物を投薬するための投薬補助容器に関する。
【背景技術】
【０００２】
ペット等の動物に投薬するための器具については、特に公知の文献がなく、通常は、餌に少量の薬剤を混合したものをペット等に与えるということが行われている。特に嚥下機能障害のあるペット等に対しては、効果的な投薬方法がないのが実情であるが、ゼリー等に粉剤等の薬剤を混ぜたものをノズル付きのチューブ容器に充填し、ペット等の口にノズルを差し込むとともに混合物を口内に吐出させ強制的に嚥下させることが考えられる。
【０００３】
なお、マヨネーズ等の半練り状の内容物を充填、排出するための蛇腹容器であって、蛇腹一山分以上の幅で内側に陥没してピストンとして機能する底部を設けたものが存在する（特許文献１参照）。この蛇腹容器では、排出時に底部が凹んでピストンの役割をするので、内容物の残量が極めて少なくなる。
【０００４】
また、蛇腹の伸縮作用を自在に制御したベローズ容器であって、ベローズの上壁部あるいは下壁部に環状ディントを設けたものがある（特許文献２参照）。このベローズ容器では、環状ディントによって壁部の変形抵抗力を低減させており、例えば折り畳み方向を統一することができる。
【特許文献１】特開平８−３２４５７０号公報
【特許文献２】特開平１０−１５７７３７号公報
【発明の開示】
【発明が解決しようとする課題】
【０００５】
しかしながら、上記のように嚥下機能障害のあるペット等に対して投薬する場合、ゼリー等の食物に粉剤等の薬剤を混合したものを準備してチューブ容器に必要量を充填する工程が必要になり、投薬の作業が繁雑になるとともに、投薬量も不正確になりやすい。なお、食物に薬剤を混合したものを予め製造・販売する場合、薬事法等による制限の下、食物の割合や種類の変更だけでも新たに許認可の手続き行う必要があり、コスト増加を招き治療活動の円滑を妨げることにもなる。
【０００６】
そこで、本発明は、投薬の作業が簡易で、投薬量、食物の種類及び量等をその場で調整できる投薬補助容器を提供することを目的とする。
【課題を解決するための手段】
【０００７】
上記課題を解決するため、本発明に係る投薬補助容器は、（ａ）（ａ１）食物の流動体を収容するとともに、内容量を増加させた充填状態から内容量を減少させた吐出状態に変形させることができる本体部材と、（ａ２）本体部材に連結されるとともに、本体部材を合わせた全体容量を比較的少なくする第１状態に保持可能であり、かつ、全体容量を比較的多くする第２状態に安定して保持可能であり、少なくとも１回の動作によって第１及び第２容量状態間の切り替えを可能にする可動部とを有する容器部材と、（ｂ）容器部材の開口部に着脱可能に接続可能であり、容器部材から分離した際に開口部を露出させることにより開口部を介して容器部材内への薬剤の投入を許容する蓋状部材とを備える。
【０００８】
上記投薬補助容器によれば、容器部材に設けた可動部が、少なくとも１回の動作によって第１及び第２容量状態間の切り替えを可能にするので、例えば蓋状部材を容器部材から分離して、可動部を比較的小容量の第１状態から比較的大容量の第２状態に変化させた状態で、容器部材内部の流動体の表面上に開口部側から錠剤や粉剤の薬剤を必要量だけ投入して、例えばノズルキャップその他の吐出用ノズルを容器部材の開口部に取り付ける。なお、蓋状部材が吐出用ノズルとしても機能する場合は、上述の吐出用ノズルとしての蓋状部材を再度容器部材に取り付ける。その後、この吐出用ノズルの先端側を例えば動物の口腔に差し込んで、本体部材を変形させることによって充填状態から吐出状態に変化させて容量を減少させることで、動物の口腔に流動体とともに薬剤を流し込んで、動物に混合物を嚥下させることができる。この際、開口部側に薬剤を投入するので、薬剤を略全て吐出用ノズルの先端から押し出すことができ、投与量の誤差を少なくできる。また、投薬補助容器の充填してある流動体の種類と、動物に投与すべき薬剤の種類とについては、治療の現場で自在に組み合わせることができ、状況に応じて迅速かつ適切な処置を行うことができる。
【０００９】
また、本発明の具体的な態様又は側面では、上記投薬補助容器において、キャップ状部材が、前記容器部材中の流動体を吐出させるノズルキャップである。この場合、ノズルとキャップとを兼用した簡易な状態での流通や市販が可能になる。
【００１０】
本発明の別の態様では、ノズルキャップが、容器部材の開口部に螺合によって固定されるスクリュキャップ状の根元部と、根元部内に連通し容器部材内の流動体を開口部から投入された薬剤とともに吐出させるテーパ状の先端部とを備える。この場合、ノズルキャップの簡易な着脱が可能になるとともに、テーパ状の先端部を動物の口腔の奥まで確実に挿入することができる。なお、ノズルキャップは、交換可能であり、対象とする動物ごとに適切なサイズや形状のものを準備すれば、投薬の作業性をより高めることができる。
【００１１】
本発明の別の態様では、本体部材が、自己の形状維持機能によって充填状態と吐出状態との双方に安定して保持可能である。この場合、本体部材を充填状態に保ちつつ必要なタイミングで吐出状態に変形させる作業を確実なものとすることができる。
【００１２】
本発明のさらに別の態様では、可動部が、開口部と本体部材との間に配置され、本体部材が、可動部に接続される第１部材と、第１部材に連結されるとともに外力に応じて変形可能であり、充填状態において第１部材から全体的に離間し、吐出状態において第１部材側に折り返されて裏返る第２部材とを有する。この場合、本体部材を簡単な構造とすることができ、第２部材を裏返すことによって本体部材中の流動体を比較的無駄なく吐出させることができる。
【００１３】
本発明のさらに別の態様では、本体部材が、外力に応じて伸縮するベローズ状の構造を有する。この場合、本体部材中の流動体を所望のタイミングで必要量だけ簡易に吐出させることができる。
【００１４】
本発明のさらに別の態様では、可動部が、外側又は内側の一方で互いに連結され他方で近接可能に分離する一対の環状部材を含むベローズ状の伸縮部材である。この場合、ベローズ状の可動部を延ばすように引っ張るだけで、可動部を第１状態から第２状態に変化させることができ、容器部材内部の流動体上に薬剤を投入する作業が簡易となる。
【００１５】
本発明のさらに別の態様では、容器部材の開口部に固定されて容器部材内を気密に封止するシール部材をさらに備える。この場合、本体部材中の流動体を使用直前まで衛生的に保つことができる。
【発明を実施するための最良の形態】
【００１６】
〔第１実施形態〕
図１（Ａ）は、本発明に係る第１実施形態の投薬補助容器の構造を説明する側面図である。また、図１（Ｂ）及び１（Ｃ）は、図１（Ａ）の投薬補助容器の使用方法を説明する図である。
【００１７】
図からも明らかなように、この投薬補助容器１０は、球状の容器部材２０と、テーパ状の吐出用ノズル３０とを備える。容器部材２０や吐出用ノズル３０は、いずれもプラスチック製であり、ブロー成形や射出成形等によって形成される。
【００１８】
ここで、容器部材２０は、流動体であるゼリーＦＬを内容物として収容する本体部材２１と、本体部材２１の開口２３の直下において薬剤投入用の空間を形成するための可動部２５と、吐出用ノズル３０に固定される円筒口部２７とを備える。
【００１９】
本体部材２１は、可動部２５に接続される頂部を切り取った半球状の第１部材２１ａと、第１部材２１ａに接続される半球状の第２部材２１ｂとを備える。本体部材２１は、吐出用ノズル３０が延びる軸方向に圧縮変形することによって内容量を減少させることができ、元の充填状態において、第１部材２１ａと第２部材２１ｂとが互いに離間して球状に膨らんでゼリーＦＬの収納を可能にし、変形した吐出状態において、第１部材２１ａと第２部材２１ｂとが互いに重なるように折り畳まれてゼリーＦＬの強制的な押し出しを可能にする。第１部材２１ａの下端と、第２部材２１ｂの上端との間の接続部分には、環状の段差部２１ｄが形成されている。この段差２１ｄにより、第２部材２１ｂを内側に折り返して裏返すこと、すなわち第２部材２１ｂを第１部材２１ａと略同一形状にして近接状態で重ね合わせることが可能になる。これにより、本体部材２１を、充填状態と吐出状態とにおいて安定して維持することができる。つまり、本体部材２１は、第２部材２１ｂを外側に突起させてゼリーＦＬを収納した充填状態（図１（Ａ）参照）に安定して保持することができるだけでなく、第２部材２１ｂを内側に窪ませてゼリーＦＬを略全て押し出した吐出状態（図１（Ｃ）参照）にも安定して保持することができる。なお、第２部材２１ｂの底部には、内側に突起する凹部２６が形成されており、本体部材２１の指による保持を容易にするとともに、吐出状態でゼリーＦＬの押出の無駄を少なくすることができる。
【００２０】
可動部２５は、ベローズ状の伸縮部材であり、円筒口部２７に接続される第１環状部材２５ａと、本体部材２１に接続される第２環状部材２５ｂとを備える。第１環状部材２５ａと第２環状部材２５ｂとは、外側で互いに連結されており、内側で近接可能に分離している。可動部２５は、軸方向に伸縮可能であり、縮んだ第１状態において、これを構成する両部材２５ａ，２５ｂが内側において互いに近接し、伸びた第２状態において、両部材２５ａ，２５ｂが内側において互いに離間する。第２環状部材２５ｂの下端と本体部材２１の上端との間の接続部分には、環状連結部材２５ｄが形成されている。また、第２環状部材２５ｂと環状連結部材２５ｄとの間には、環状連結部材２５ｄに沿ってわずかな窪み２５ｆが形成されている。これら環状連結部材２５ｄ及び窪み２５ｆにより、第２環状部材２５ｂを内側に折り返して裏返すこと、すなわち第２環状部材２５ｂを第１環状部材２５ａと略同一形状にして近接状態で重ね合わせることが可能になる。これにより、可動部２５を、縮んだ第１状態（図１（Ａ）参照）と、伸びた第２状態（図１（Ｂ）参照）とに安定して維持することができる。つまり、可動部２５は、第２環状部材２５ｂを内側に窪ませて容器部材２０の全体容量を比較的少なくする第１状態に安定して保持することができるだけでなく、第２環状部材２５ｂを外側に突起させて全体容量を比較的多くする第２状態に安定して保持することができる。
【００２１】
円筒口部２７は、筒状の部材であり、その下端は、可動部２５の上端に接続されている。円筒口部２７の外周には、雄ネジ２７ａが形成されており、吐出用ノズル３０との間で簡易に着脱可能な接続を可能にしている。円筒口部２７の上端部は、容器部材２０の開口部となっており、熱接着等によって開口２３を塞ぐように凹シール２９が貼り付けられている。このシール２９は、容器部材２０内を気密に封止するシール部材であり、容器部材２０中のゼリーＦＬを使用直前まで衛生的に保つことができる。また、投薬補助容器１０を使用する際には、予め容器部材２０中のゼリーＦＬ上に錠剤等の薬剤ＭＤを投入するが、この場合、ユーザが指でシール２９を円筒口部２７の上端から剥がすことで、開口２３すなわちゼリーＦＬを露出させることができる。なお、シール２９を除去した開封状態において、可動部２５を軸方向に延ばして第１状態から第２状態に切り替えることで、容器部材２０中でゼリーＦＬが後退する。つまり、円筒口部２７の内側には、ゼリーＦＬがほとんど存在しない状態となって収納空間が形成される。これにより、薬剤ＭＤがこぼれたり飛散することを簡易に防止でき、薬剤ＭＤの投入作業が簡単になる。
【００２２】
吐出用ノズル３０は、容器部材２０の開口２３を覆う蓋状部材であり、円筒口部２７に螺合によって固定されるスクリュキャップ状の根元部３１と、根元部３１内に連通し容器部材２０内のゼリーＦＬを吐出させるテーパ状の先端部３３とを備える。つまり、吐出用ノズル３０は、ノズルキャップ状の構造を有する。根元部３１の内周には、雌ネジ３１ａが形成されており、円筒口部２７すなわち容器部材２０との間で簡易に着脱可能な接続を可能にしている。先端部３３は、筒状で、容器部材２０から押し出されたゼリーＦＬを薬剤ＭＤとともに通過させる。先端部３３の内径は、薬剤ＭＤが錠剤であっても通過させることができる程度に十分に大きなものとする、一方、先端部３３の内径については、これをあまり大きくすると先端部３３内に残留するゼリーＦＬの量が増加するので、一定の制限を設ける必要がある。一般的には、本体部材２１を充填状態として可動部２５を第１状態とした場合（図１（Ａ）参照）における、容器部材２０の開口２３までの当初容量をＣＡ１とし、本体部材２１を吐出状態として可動部２５を第１状態とした場合（図１（Ｃ）参照）における、円筒口部２７や吐出用ノズル３０等の内部空間すなわち投薬補助容器１０の残留容量をＣＡ２として、これらから求められる吐出率（ＣＡ１−ＣＡ２）／ＣＡ１が例えば０．５〜０．９６程度の範囲にあることが望ましい。
【００２３】
なお、吐出用ノズル３０は、根元部３１の規格さえ一致すれば交換可能である。これにより、様々な形状を有する先端部３３を備える吐出用ノズル３０を用途に応じて容器部材２０に適宜接続することができる。つまり、先端部３３を治療対象とする動物に応じて口腔の奥まで確実に挿入することができ、投薬の作業性をより高めることができる。吐出用ノズル３０は、図示の状態で市場に提供することもできるが、先端部３３を覆うような追加のキャップを設けることもできる。
【００２４】
また、吐出用ノズル３０は、先端部３３を有しない根元部３１だけのスクリュキャップ（不図示）に置き換えることができ、容器部材２０とスクリュキャップとを組み合わせたスクリュキャップ付きの投薬補助容器を市場に提供することができる。この場合、スクリュキャップ付きの投薬補助容器を購入し、そのスクリュキャップを予め用意した所望の形状の先端部３３を有する吐出用ノズル３０に付け替える。
【００２５】
以下、図１の投薬補助容器１０の取扱や操作について説明する。ユーザは、通常図１（Ａ）に示す状態の投薬補助容器１０を購入する。ユーザが投薬する場合、容器部材２０から吐出用ノズル３０を取り外す。そして、シール２９を円筒口部２７上端から剥がすことで、容器部材２０の開口２３下にゼリーＦＬを露出させる。さらに、本体部材２１を一方の手で握り、円筒口部２７を他方の手で摘んで上側に引っ張ることによって可動部２５を軸方向に引き延ばす。つまり、可動部２５を縮んだ第１状態から伸びた第２状態に変形させ、ゼリーＦＬが開口２３から後退した状態とする。この状態で、開口２３を介して、円筒口部２７下部に露出したゼリーＦＬ上に必要量の薬剤ＭＤを投入する（図１（Ｂ）参照）。この際、薬剤ＭＤをゼリーＦＬ上に置くだけで足る。後述するように、容器部材２０を充填状態から吐出状態に変形させる際にゼリーＦＬや薬剤ＭＤの混合が生じるので、あえて混合の必要がないが、薬剤ＭＤをゼリーＦＬの表層に押し込むことができる。ただし、薬剤ＭＤを容器部材２０の底に押し込むと先端部３３内に薬剤ＭＤが残留する可能性が高まる。次に、吐出用ノズル３０を容器部材２０にネジ付けて固定する。その後、投薬補助容器１０を片手ＨＤで保持して、吐出用ノズル３０を治療中の動物の口腔に差し込む。そして、本体部材２１の底部に設けた凹部２６を親指で押し、本体部材２１や可動部２５を圧縮変形させることによって、本体部材２１を充填状態から吐出状態に変化させ容量を減少させる。これにより、治療中の動物の口腔にゼリーＦＬとともに薬剤ＭＤを流し込んで、動物にこれらの混合物を嚥下させることができる（図１（Ｃ）参照）。
【００２６】
以上説明した本実施形態の投薬補助容器１０によれば、投薬補助容器１０の開封後に、開口２３側のゼリーＦＬ上に薬剤ＭＤを投入するので、治療中の動物の口腔にゼリーＦＬとともに薬剤ＭＤを流し込む際に、薬剤ＭＤを吐出用ノズル３０の先端部３３から優先的に押し出すことができ、投与量の誤差を少なくできる。この際、投薬補助容器１０を複数種類ストックしておくことにより、投薬に際して利用するゼリーＦＬ等の流動体の種類を適宜変更することができる。また、治療中の動物に投与すべき薬剤ＭＤの種類や量については、ユーザの判断で臨機応変に調整することができる。つまり、治療の現場でゼリーＦＬや薬剤ＭＤの種類及び量を自在に組み合わせることができるので、動物の症状等の状況に応じて迅速かつ適切な処置を行うことができる。
【００２７】
〔第２実施形態〕
図２（Ａ）は、第２実施形態の投薬補助容器の構造を説明する側面図である。また、図２（Ｂ）及び２（Ｃ）は、図２（Ａ）の投薬補助容器の使用方法を説明する図である。なお、第２実施形態の投薬補助容器１１０は、図１（Ａ）等に示す第１実施形態の投薬補助容器１０を変形したものであり、同一部分については同一の符号を付して重複説明を省略する。また、第２実施形態で特に説明しない部分については、第１実施形態と同様であるものとする。
【００２８】
この投薬補助容器１１０において、容器部材１２０は、本体部材１２１と、可動部２５と、円筒口部２７とを備える。本体部材１２１は、複数の環状のベローズ部分１２２からなるベローズ状の伸縮部材であり、外力に応じて軸方向に伸縮する。各ベローズ部分１２２は、可動部２５側の第１環状部材１２２ａと、凹部２６側の第２環状部材１２２ｂとを備える。各ベローズ部分１２２を構成する第１及び第２環状部材１２２ａ，１２２ｂは、半径の大きくなっている外側で互いに連結されており、内側で近接可能に分離している。また、隣接するベローズ部分１２２，１２２は、小径となっている軸方向の端部側で互いに連結されている。
【００２９】
以下、図２の投薬補助容器１１０の操作について説明する。ユーザが投薬する場合、図２（Ａ）に示す状態の投薬補助容器１１０を準備し、容器部材１２０から吐出用ノズル３０を取り外す。そして、シール２９を円筒口部２７上端から剥がすことで、容器部材１２０の開口２３下にゼリーＦＬを露出させるとともに、本体部材１２１全体を保持して円筒口部２７を摘んで上側に引っ張って、可動部２５を縮んだ第１状態から伸びた第２状態に変形させる。この状態で、開口２３を介して、円筒口部２７下部に露出したゼリーＦＬ上に必要量の薬剤ＭＤを投入する（図２（Ｂ）参照）。この際、薬剤ＭＤをゼリーＦＬ上に置くだけで足る。次に、吐出用ノズル３０を容器部材１２０にネジ付けて固定する。その後、投薬補助容器１１０を片手ＨＤで保持して、吐出用ノズル３０を治療中の動物の口腔に差し込む。そして、蛇腹状の本体部材１２１の底部に設けた凹部２６を親指で押し、本体部材１２１や可動部２５を圧縮変形させることによって、本体部材１２１を充填状態から吐出状態に変化させ容量を減少させる。これにより、治療中の動物の口腔にゼリーＦＬとともに薬剤ＭＤを流し込んで、動物にこれらの混合物を嚥下させることができる（図１（Ｃ）参照）。
【００３０】
〔第３実施形態〕
図３は、第３実施形態の投薬補助容器の構造を説明する側面図である。第３実施形態の投薬補助容器２１０は、図１（Ａ）等に示す第１実施形態の投薬補助容器１０を変形したものであり、同一部分については同一の符号を付して重複説明を省略する。また、第３実施形態で特に説明しない部分については、第１実施形態と同様であるものとする。
【００３１】
この投薬補助容器２１０において、吐出用ノズル３０の先端部２３３は、例えばゴム製のジョイント５１を介して経ろうチューブ５３に接続されている。この経ろうチューブ５３は、患者の胃や腸内に延びており、本体部材２１を圧縮変形させて充填状態から吐出状態に変化させて容量を減少させることにより、経胃ろうルートまたは経腸ろうルートで患者にゼリーＦＬと薬剤ＭＤとの混合物を投与することができる。なお、この場合、薬剤ＭＤとしては、経ろうチューブ５３を通過して胃腸内に吐出可能な程度に小さなものとする必要がある。ただし、薬剤ＭＤが粉体や液体である場合、このような注意は特に必要ない。
【００３２】
以上実施形態に即して本発明を説明したが、本発明は、上記実施形態に限定されるものではない。すなわち、以上の説明において、シール２９の開封後に円筒口部２７を把持して上側に引っ張ることにより、可動部２５を縮んだ第１状態から伸びた第２状態に変形させたが、シール２９を円筒口部２７上端から剥がすことによって容器部材２０，１２０内の気密を破った場合に、可動部２５が自動的に延びるようにしてもよい。つまり、可動部２５は、第１状態から第２状態に変化する復帰力を内蔵するものとでき、容器部材２０，１２０の開封と可動部２５の伸張とを一括して行うことができる。
【００３３】
また、上記実施形態では、容器部材２０，１２０の吐出用ノズル３０側に可動部２５を設けたが、可動部２５は、容器部材２０，１２０の底部側に設けることもできる。また、可動部２５は、一段の蛇腹に限らず、複数段の蛇腹構造とすることができる。
【００３４】
また、上記実施形態における本体部材２１や可動部２５の形状や構造は単なる例示であり、様々な変形が可能である。例えば部材２１ａ，２１ｂを半球の表面形状に近いものとする代わりに円錐台の側面形状に近いものとすることができる。
【００３５】
また、上記実施形態では、容器部材２０，１２０にゼリーＦＬを充填しているが、ゼリーＦＬ等の粘性体に代えて食用の各種液体を充填することができる。
【図面の簡単な説明】
【００３６】
【図１】（Ａ）〜（Ｃ）は、第１実施形態の投薬補助容器の構造を説明する側面図である。
【図２】（Ａ）〜（Ｃ）は、第２実施形態の投薬補助容器の構造を説明する側面図である。
【図３】第３実施形態の投薬補助容器の構造を説明する側面図である。
【符号の説明】
【００３７】
１０，１１０，２１０…投薬補助容器、  ２０，１２０…容器部材、  ２１，１２１…本体部材、  ２１ａ…第１部材、  ２１ｂ…第２部材、  ２３…開口、  ２５…可動部、  ２５ａ…第１環状部材、  ２５ｂ…第２環状部材、  ２５ｄ…環状連結部材、  ２６…凹部、  ２７…円筒口部、  ２９…シール、  ３０…吐出用ノズル、  ３１…根元部、  ３３，２３３…先端部、  ５１…ジョイント、  ５３…チューブ、  １２２…ベローズ部分、  ＦＬ…ゼリー、  ＭＤ…薬剤
【図１】
2008295839.tif 000003
【図２】
2008295839.tif 000004
【図３】
2008295839.tif 000005